(57)【要約】【課題】  布状体が対象物を貫通したように錯覚させる手品用具を提供すること。【解決手段】  布状体３が対象物を貫通したように錯覚させる手品用具であって、透明または対象物と同一の外観を有し、中央に布状体を通すための縦長の孔部１０を備えたフィルム状部材１と、フィルム状部材を挟んで収納する収納体２であって、収納体２にはフィルム状部材１を横方向にスライドして出し入れできるように開いた一辺２０を有し、一辺から収納時の孔部１０の位置に至るスリット２１を表面及び裏面に設け、フィルム状部材１を収納すると共に、布状体３を収納体２の裏面側から、裏面のスリット、フィルム状部材の孔部、表面のスリットの順に通しておくことにより、手品を行う際にはフィルム状部材１をスライドすると布状体３が孔部１０の上端又は下端側に偏位して通った状態で取り出すことができるようにする。【選択図】  図２
2020103726.tif 000002
【特許請求の範囲】
【請求項１】
布状体が対象物を貫通したように錯覚させる手品用具であって、
透明または対象物と同一の外観を有し、中央に布状体を通すための縦長の孔部を備え、横の長さが２５ｍｍないし６０ｍｍ、縦の長さが４０ｍｍないし８０ｍｍの範囲の大きさであるフィルム状部材と、
該フィルム状部材を挟んで収納する収納体であって、該収納体にはフィルム状部材を横方向にスライドして出し入れできるように開いた一辺を有し、該一辺には該一辺から収納時の該孔部の位置に至るスリットを表面及び裏面に設け、
該フィルム状部材を収納すると共に、該布状体を該収納体の裏面側から、裏面のスリット、フィルム状部材の孔部、表面のスリットの順に通しておくことにより、
手品を行う際にはフィルム状部材をスライドすると布状体が孔部の上端又は下端側に偏位して通った状態で取り出すことができるようにした手品用具。
【請求項２】
前記スリットが、前記縦長の孔部の上端又は下端側に偏位して設けられる
請求項１に記載の手品用具。
【請求項３】
前記スリットの幅が３ｍｍないし１０ｍｍの範囲内である、
請求項１又は２に記載の手品用具。
【請求項４】
前記収納体に前記布状体を巻回した時に、該布状体の離脱を防ぐために上端及び下端に横方向に突出した係止部を備えた
請求項１ないし３のいずれかに記載の手品用具。
【請求項５】
布状体が対象物を貫通したように錯覚させる手品用具のフィルム状部材であって、
透明または対象物と同一の外観を有し、中央に布状体を通すための縦長の孔部を備え、横の長さが２５ｍｍないし６０ｍｍ、縦の長さが４０ｍｍないし８０ｍｍの範囲の大きさであるフィルム状部材。
【発明の詳細な説明】
【技術分野】
【０００１】
本発明は、布状体が対象物を貫通したように錯覚させる手品用具に関する。
【背景技術】
【０００２】
従来からコインやタバコなど様々な物が本来通るはずのない対象物を貫通したように錯覚させる手品が知られている。
非特許文献１には、グラスを貫通するハンカチが開示されている。
【先行技術文献】
【非特許文献】
【０００３】
【非特許文献１】インターネットＵＲＬ：http://www.tozakiweb.com/single-post/2018/03/26/  （２０１８年１２月２０日検索）
【発明の概要】
【発明が解決しようとする課題】
【０００４】
本発明は、布状体が対象物を貫通したように錯覚させる手品用具を提供することを目的とする。
【課題を解決するための手段】
【０００５】
本発明は、上記課題を解決するために次のような手品用具を提供する。
第１の実施態様によれば、布状体が対象物を貫通したように錯覚させる手品用具であって、透明または対象物と同一の外観を有し、中央に布状体を通すための縦長の孔部を備え、横の長さが２５ｍｍないし６０ｍｍ、縦の長さが４０ｍｍないし８０ｍｍの範囲の大きさであるフィルム状部材と、該フィルム状部材を挟んで収納する収納体であって、該収納体にはフィルム状部材を横方向にスライドして出し入れできるように開いた一辺を有し、該一辺には、該一辺から収納時の該孔部の位置に至るスリットを表面及び裏面に設け、該フィルム状部材を収納すると共に、該布状体を該収納体の裏面側から、裏面のスリット、フィルム状部材の孔部、表面のスリットの順に通しておくことにより、手品を行う際にはフィルム状部材をスライドすると布状体が孔部の上端又は下端側に偏位して通った状態で取り出すことができるようにした手品用具を提供する。
【０００６】
第２の実施態様によれば、前記のスリットが、前記縦長の孔部の上端又は下端側に偏位して設けられる構成でもよい。
【０００７】
第３の実施態様によれば、前記スリットの幅が３ｍｍないし１０ｍｍの範囲内であってもよい。
【０００８】
第４の実施態様によれば、前記収納体に前記布状体を巻回した時に、該布状体の離脱を防ぐために上端及び下端に横方向に突出した係止部を備えた手品用具を提供することもできる。
【０００９】
第５の実施態様によれば、布状体が対象物を貫通したように錯覚させる手品用具のフィルム状部材であって、透明または対象物と同一の外観を有し、中央に布状体を通すための縦長の孔部を備え、横の長さが２５ｍｍないし６０ｍｍ、縦の長さが４０ｍｍないし８０ｍｍの範囲の大きさであるフィルム状部材を提供することもできる。
【図面の簡単な説明】
【００１０】
【図１】本発明に係るフィルム状部材である。
【図２】本発明に係る収納体である。
【図３】本発明の使用方法を示す第１の説明図である。
【図４】本発明の使用方法を示す第２の説明図である。
【図５】本発明の使用方法を示す第３の説明図である。
【図６】本発明の使用方法を示す第４の説明図である。
【図７】本発明の使用方法を示す第５の説明図である。
【発明を実施するための形態】
【００１１】
以下、本発明の実施形態を、図面に示す実施例を基に説明する。なお、実施形態は下記に限定されるものではない。
図１は、本発明に係るフィルム状部材（１）であり、図２は収納体（２）を図示している。フィルム状部材は、透明または対象物と同一の外観を有し、中央に布状体を通すための縦長の孔部（１０）を備え、横の長さＬ２が２５ｍｍないし６０ｍｍの範囲内、例えば５０ｍｍ、縦の長さＬ１が４０ｍｍないし８０ｍｍの範囲内、例えば３５ｍｍの大きさである。
【００１２】
本発明の対象物はスマートフォンで示しており、スマートフォンの画面が透過するように透明のごく薄い樹脂で構成されている。スマートフォンの画面を点灯させると観客から当該フィルム状部材（１）は視認できないことに手品の要素がある。
セロハン包装されたキャラメルやチョコレートの箱、紙製トランプの箱などの上に置いても、同じように見えにくくなる。
【００１３】
フィルム状部材が視認できないことが重要であるから、透明以外でも、対象物の素材と同一の材料で構成することができる。例えば、スマートフォンの裏面の金属表面を透過させる場合は、金属板で構成してもよい。また、対象物とほぼ同じ大きさで構成して、フィルム状部材が対象物自体と錯覚するように構成してもよい。
【００１４】
本発明に係る収納体（２）はビニール等で構成され、フィルム状部材（１）を横方向にスライドして出し入れできるように開いた一辺（２０）を有する。
その一辺（２０）には縦長の孔部（１０）の上端又は下端側（本実施例では上端側）に偏位して一辺（２０）から収納時の孔部の位置に至る横長のスリット（２１）を表面及び裏面に設ける。
【００１５】
図３は、本発明の実施方法を示す説明図であり、手品を実施するときに、観客からみると右手（６）に持った布状体（３）、例えばハンカチが通り抜けているように見えるが、実際には画面の前に左手（５）でスマートフォン（４）と重ねて持っているフィルム状部材（１）の孔部（１０）を通って、スマートフォン（４）の下から後ろに通っている。
【００１６】
布状体（３）の観客側で広がっている部分が、孔部（１０）で折り返されて下方向に延び、スマートフォン（４）の下辺で後ろに抜けている布状体（３）を隠していることになる。
【００１７】
図４に示すように、フィルム状部材（１）を収納体（２）に収納すると共に、布状体（３）を収納体（２）の裏面側から、裏面のスリット（２１）、フィルム状部材の孔部（１０）、表面のスリット（２１）の順に通しておく。
【００１８】
本構成によって、手品を行う際にはフィルム状部材（１）をスライドすると布状体（３）が孔部（１０）の上端又は下端側に偏位して通った状態で取り出すことができるようにした手品用具を提供する。
【００１９】
本発明に係る上記のスリットの幅が３ｍｍないし１０ｍｍの範囲内、例えば４ｍｍ程度とすると好適である。
【００２０】
また、収納体（２）には布状体を巻回した時に、布状体の離脱を防ぐために上端及び下端に横方向に突出した係止部（２２）（２２）を備えることもできる。収納体（２）は、観客から見れば布状体（３）を巻き付けておくための道具にしか見えず、収納体（２）の存在に不審を抱かせずに利用することができる。
【００２１】
図４及び図５に示すように、舞台裏で予め布状体（３）を収納体（２）のスリット（２１）、フィルム状部材（１）の孔部（１０）を通してから、収納体（２）の係止部（２２）の間に巻き付けてから手品を開始する。
【００２２】
そして、図６及び図７に示すように収納体（２）から布状体（３）を解いて、ハンカチの全体を観客に見せながら、フィルム状部材（１）と共に布状体（３）を収納体（２）から分離させる。このとき、フィルム状部材（１）は手掌で覆っているので観客からは見えない。
【００２３】
本発明において、スリット（２１）が偏位しているのは、図６に示すように右手（６）の親指が布状体（３）の端にちょうど当たり、図７に示すようにフィルム状体（１）を隠しながら取り出しやすくするためである。従って、この偏位が手品の実施に際して特に重要である。ただし、収容体の大きさや布状体の態様に応じて、偏位させなくてもよい。
【符号の説明】
【００２４】
１  フィルム状部材
１０  孔部
２  収納体
２０  一辺
２１  スリット
２２  係止部
３  布状体
４  スマートフォン
５  左手
６  右手
【図１】
2020103726.tif 000003
【図２】
2020103726.tif 000004
【図３】
2020103726.tif 000005
【図４】
2020103726.tif 000006
【図５】
2020103726.tif 000007
【図６】
2020103726.tif 000008
【図７】
2020103726.tif 000009